(57)【要約】本発明は、例えばガラスや建築材料等に機能性溶液等の液剤を塗布したり、フィルムを貼る際に用いられるワイパー兼用の塗布具に関するものであり、把持部（２）と、この把持部（２）の先部に支持される硬質材料からなる薄板状のへら部（３）とを有し、へら部（３）が把持部（２）に固着される基板部（３１）とこの基板部（３１）に所定の角度において回動可能に支持されるへら部本体（３２）とからなり、基板部（３１）とへら部本体（３２）との間に回動させたへら部本体（３２）を元の所定角度位置に復帰可能に付勢するためのばね部材（４１，４２）がそれぞれ回動方向毎に個別に且つ各ばね部材（４１，４２）の何れか一方が作用している場合にはもう一方のばね部材は自由状態にあるように配置した。【特許請求の範囲】
【請求項１】
把持部と、この把持部の先部に支持される硬質材料からなる薄板状のへら部とを有し、前記へら部が前記把持部に固着される基板部とこの基板部に所定の角度を有して支持されるへら部本体とからなり、前記へら部本体が前記基板部に対して所定角度が小さくなる方向および大きくなる方向に回動可能に支持され且つ前記基板部とへら部本体との間に回動させたへら部本体を元の所定角度位置に復帰可能に付勢するためのばね部材がそれぞれ配置されていることを特徴とするワイパー兼用塗布具。
【請求項２】
前記前記基板部とへら部本体との間に回動させたへら部本体を元の所定角度位置に復帰可能に付勢するための一方のばね部材が前記基板部とへら部本体とを連結軸に介装したトーションばねであって、もう一方のばね部材が一方の遊端を前記へら部本体に固着されるとともにもう一方の遊端を基板部に形成した嵌挿溝に貫通させて基端部を前記基板部に対向して配置された端面く字形の挟みばねである請求項１記載のワイパー兼用塗布具。
【請求項３】
前記へら部の外周に、塗布剤を含浸させる布状の塗布部材またはワイピング材が着脱自在に装着される請求項１または２記載のワイパー兼用塗布具。
【発明の詳細な説明】
【技術分野】  本発明は、例えばガラスや建築材料等に機能性溶液等の液剤を塗布したり、フィルムを貼る際に用いられるワイパー兼用の塗布具に関するものである。
【背景技術】  従来、例えばガラスに撥水剤や親水剤等のコーティング溶液を均一に塗布する際や、水や汚れ等を拭き取ったりするため、更には、例えばガラスに撥水剤や親水剤等のコーティング溶液を塗布する場合などに用いられる塗布具として、第８図に示すように、把持部２と、前記把持部２の先部に支持される硬質材料からなる薄板状のへら部３とを有し、前記へら部３が前記把持部２に固着される基板部３１と、この基板部３１に所定角度を有して配置されるへら部本体３２とからなり、前記へら部本体３２が基板部３１に対して前記所定角度が小さくなる方向に所定角度だけ回動可能且つ元の所定角度に復帰可能とするばね４により付勢されて支持されているワイパー兼用塗布具１を本発明者において開発した（国際公開番号  ＷＯ２００４／１０５９６２）。
この従来のワイパー兼用塗布具１は、そのまま、或いはへら部３の外周全体に塗布剤を含浸させた布状の塗布部材またはワイピング材５を装着した状態で、第９図に示すように被塗布部材６の表面に沿って移動させ、塗布作業を行う際に、へら部３におけるへら部本体３２が基板部３１に対して所定角度が小さくなる方向に所定角度だけ回動可能且つ元の所定角度位置に復帰可能とするばね４により付勢されていることから、へら部本体３２が把持部２に対して弾性を有することになり、被塗布部材６が例えば自動車ガラスのように曲面を呈していても表面の形状に沿いやすく、所定の付勢力のばね４を用いることにより被塗布部材６に強く押しつけることでへら部本体３２を被塗布部６に強く密着させることが可能であるため重ね塗りをすることなく溶液や塗料を薄く且つ均一に塗布することができる。
ところが、前記従来のワイパー兼用塗布具１は、通常へら部本体３２が基板部３１に対する所定の角度が小さくなる方向に所定角度だけ回動可能且つ元の所定角度位置に復帰可能に付勢されているので、ばね４の付勢力を利用した使い方をするには、把持部２を掴んだ状態で基板部３１をへら部本体３２側へと傾斜させた状態を維持することになり、ワイパー兼用塗布具１は自然と第９図に示す上方向に移動し易くなる。
そのため、移動方向が一方向に限られてしまい、例えば不自然な体制で作業をするのを回避する目的で移動方向を変えるためには、操作を一旦中止して体勢を変えてから再び行う必要が生じ連続した作業が困難であることから、作業が面倒となるばかりか作業面について連続しないので美麗な仕上がりとなりにくい、という問題がある。
【発明の開示】
本発明は、前記問題点を解決するためになされたものであり、把持部と、この把持部の先部に支持される硬質材料からなる薄板状のへら部とを有し、前記へら部が前記把持部に固着される基板部とこの基板部に所定の角度において回動可能に支持されるへら部本体とからなり、前記基板部とへら部本体との間に回動させたへら部本体を元の所定角度位置に復帰可能に付勢するためのばね部材がそれぞれ回動方向毎に個別に且つ前記各ばね部材の何れか一方が作用している場合にはもう一方のばね部材は自由状態にあるように配置されていることを特徴とする。
また、前記基板部とへら部本体との間に回動させたへら部本体を元の所定角度位置に復帰可能に付勢するための一方のばね部材が前記基板部とへら部本体とを軸支するための連結軸に互いに向きを対向させて介装した一対のトーションばねである場合、前記基板部とへら部本体との間に回動させたへら部本体を元の所定角度位置に復帰可能に付勢するための一方のばね部材が前記基板部とへら部本体とを連結軸に介装したトーションばねであって、もう一方のばね部材が一方の遊端を前記へら部本体に固着されるとともにもう一方の遊端を基板部に形成した嵌挿溝に貫通させて基端部を前記基板部に対向して配置された端面く字形の挟みばねである場合、更に、前記へら部の外周に、塗布剤を含浸させる布状の塗布部材またはワイピング材が着脱自在に装着される構成の場合にはより好ましい。
また、前記基板部とへら部本体との間に回動させたへら部本体を元の所定角度位置に復帰可能に付勢するための一方のばね部材が前記基板部とへら部本体とを軸支するための連結軸に互いに向きを対向させて介装した一対のトーションばねである場合、或いは前記基板部とへら部本体との間に回動させたへら部本体を元の所定角度位置に復帰可能に付勢するための一方のばね部材が前記基板部とへら部本体とを連結軸に介装したトーションばねであって、もう一方のばね部材が一方の遊端を前記へら部本体に固着されるとともにもう一方の遊端を基板部に形成した嵌挿溝に貫通させて基端部を前記基板部に対向して配置された端面く字形の挟みばねである場合には、前記基板部とへら部本体とが所定角度位置にあるときには、両側に配置したいずれのばね部材の付勢力も所定の角度位置にある基板部には作用することがなく、従って、使用時には傾斜させる側におけるばね部材だけの付勢力だけが基板部に作用し、反対側に作用するもう一方に傾斜させる側におけるばね部材の付勢力は作用しないので使い勝手がよく、操作も確実である。
更に、前記へら部の外周に、塗布剤を含浸させる布状の塗布部材またはワイピング材が着脱自在に装着される構成とすることにより、使用目的に応じた複数の塗布部材に対して本体は一つで済むとともに、塗布部材を取り外して容易に洗浄することができるうえ、傷んだ場合には塗布部材だけを捨てて本体を継続使用することができて経済的である。
【図面の簡単な説明】  第１図は本発明の好ましい実施の形態を示す斜視図であり、第２図は第１図に示した実施の形態のＩＩ−ＩＩ線に沿う断面図、第３図は第１図に示した実施の形態の各種の使用方法を示す説明図、第４図は本発明の異なる実施の形態を示す斜視図、第５図は第４図に示した実施の形態の異なる方向から見た斜視図、第６図は第４図のＶＩ−ＶＩ線に沿う縦断面図、第７図は第４図に示した実施の形態の各種の使用方法を示す説明図、第８図は従来例を示す説明図、第９図は第８図に示した従来例の使用状態を示すを示す説明図である。
【発明を実施するための最良の形態】  本発明の詳細を添付図面に従って説明する。
第１図および第２図は、本発明の好ましい実施の形態を示すものであり、ワイパー兼用の塗布具１は、円柱上の把持部２と、この把持部２の先部に支持される金属や硬質合成樹脂製の材料、好ましくは塗布剤となる水や機能性溶液等を含浸したり溶解したりしない不浸透性材料によって薄板状のへら部３とを有しており、前記へら部３が前記把持部２に固着されるほぼ扇形の基板部３１とこの基板部３１に所定角度を有して配置されるほぼ細長矩形状のへら部本体３２とから構成される。
更に詳しく説明すると、基板部３１の基端部３１１に把持部２の先端部２１が挟持固定されているとともに、基板部３１の先端に設けられた支持板３１ａとへら部本体３２の表面にそれぞれ立設された複数の軸受３１４および３２４に支持される支持軸３３により基板部３１がへら部本体３２に対して回動可能に支持されている。
また、前記支持軸３３には所定の角度を有するトーションばねにより形成される複数のばね部材４１および４２が介装されており、ばね部材４１は基板部３１を中央の所定位置よりも第２図に示すＡ方向に傾動させた際にばね部材４１の付勢力が基板部３１に作用して基板部３１を元の位置に復帰させる方向に作用し、ばね部材４２は基板部３１を中央の所定位置よりも第２図に示すＢ方向に傾動させた際にばね部材４１の付勢力が基板部３１に作用して基板部３１を元の位置に復帰させる方向に作用する。
特に、基板部３１がＡ方向に傾動するとき、対向して配置されたばね部材４２が自由状態になるように、また、基板部３１がＢ方向に傾動するとき、対向して配置されたばね部材４１が自由状態になるようにばね部材４１，４２の開き角度が設定されている。
加えて、へら部３の基板部３１の表面にはファスナ部７１，７２が設けられており、例えばフエルトやパイル（タオル地を含む）地、不織布、マイクロ繊維、樹脂発泡体、紙等、柔軟性を有するとともに、用途によっては塗布剤を一定量含浸することができる材質の布状の塗布部材５が前記ファスナ部７１，７２に係着して手で簡単に着脱可能に取付け可能とされている。
このように構成される本実施の形態は、被塗布部材６の硬さや面積、および塗布する溶液、例えば撥水剤や曇り止め剤等のコーティング溶液等の種類や用途に応じて、適切な素材および厚さ等を有する塗布部材７を選択し、へら部３のファスナ部７１，７２に取り付け、機能性溶液を被塗布部材に塗布する場合には、把持部２４を持って、塗布部材５に溶液を含浸させ、例えば自動車ガラス等の被塗布部材６の表面に沿って塗布具１を動かして、塗布作業を行う。
このとき、第３図（ａ）に示すように、基板部３１とへら部本体３２とが挟みばねからなるばね部材４１とばね部材４２とにより所定角度位置（中立位置）に保持されており、例えば把持部２を第３図（ａ）に示す下方に向けて回動させ第３図（ｂ）に示すようにばね部材４１の付勢力により押しつけて塗布具１をへら部本体３２を被塗布部材６を当接した位置から第３図（ａ）に示す上方または下方に向けてばね部材４１の付勢力により押しつけて塗布具１を前方へ向けて移動させることで塗布作業を行う。
このとき、へら部本体３２にはもう一方のばね部材４２は支持角が開き角を越えているので付勢力は作用せずにトーションばねからなるばね部材４１の付勢力だけが作用して所望の弾性が付与されるため、被塗布部材６が例えば自動車ガラスのように曲面を呈していても、表面の形状に沿いやすく、重ね塗りをすることなく溶液を均一に塗布できる。
そして、第３図（ａ）に示す上方に向けて移動させて作業を行った場合において、一操作が終わって塗布具１を被塗布部材６から離す際には、第３図（ｃ）に示すように把持部２を更に被塗布部材６側に押し続ける方向に移動させて、へら部本体３２に作用しているトーションばねからなるばね部材４１の付勢力を解除しつつ外側端縁を被塗布部材に接触させつつ下方へ移動させて離すことにより、へら部本体３２が内側へ向けて回動しながら最後は外側端縁を被塗布部材６接触させた状態で離すことによりムラを生じることなく塗布具１を離すことができる。
また、第３図（ａ）に示す下方に向けて移動させて作業を行った場合において、一操作が終わって塗布具１を被塗布部材６から離す際には、第３図（ｅ）に示すように把持部２を更に被塗布部材６側に押し続ける方向と反対方向に移動させて、へら部本体３２に作用しているトーションばねからなるばね部材４２の付勢力を解除しつつ外側端縁を被塗布部材に接触させて下方へ移動させて離すことにより、へら部本体３２が内側へ向けて回動しながら最後は外側端縁を被塗布部材６接触させた状態で離すことによりムラを生じることなく塗布具１を離すことができる。
更に、本実施の形態では、前記第３図（ｂ）に示したように把持部２を下方に傾斜させた状態で上方（または下方）に向けて移動しながら、そのままの状態で第３図（ａ）に示した状態を経て、前記第３図（ｃ）に示したように把持部２を上方に傾斜させた状態に位置操作の中で回動可能であり、連続して長い距離にわたって作業をすることができるので、きわめて便利である。
このように、本実施の形態は前記第８図に示した従来の塗装具と異なり、塗装方向を問わずに前後いずれの方向に向けての塗装が可能であるばかりかいずれの方向に向けて塗装した場合にも所定の付勢力によりへら部本体３２が所望の弾性を有して被塗布部材６に当接するので薄くムラなく塗装することができるものである。
尚、本実施の形態では塗布部材５を装着して被塗布部材６を塗装する場合を示したが、塗布部材７の代わりにワイピング材を装着した状態で使用する場合、或いは塗布部材５やワイピング材を装着せずにへら部本体３２そのままあるいはゴムなどにより被覆したへら部本体３２により塗布、拭き取り、フィルム貼りなどとして使用することができることはいうまでもない。
第４図乃至第６図は、本発明の異なる実施の形態を示すものであり、全体の構成は前記実施の形態とほぼ同じく、ワイパー兼用の塗布具１は、円柱上の把持部２と、この把持部２の先部に支持される金属や硬質合成樹脂製の材料、好ましくは塗布剤となる水や機能性溶液等を含浸したり溶解したりしない不浸透性材料によって薄板状のへら部３とを有しており、前記へら部３が前記把持部２に固着されるほぼ扇形の基板部３１とこの基板部３１に所定角度を有して配置されるほぼ細長矩形状のへら部本体３２とから構成される。
更に詳しく説明すると、基板部３１の基端部３１１に把持部２の先端部２１が挟持固定されているとともに、基板部３１の先端部３１２が基板部３１の裏面３１３とへら部本体３２の表面３２１にそれぞれ配置される軸受３２４，３２４，３２４および３１４，３１４に支持される支持軸３３により基板部３１がへら部本体３２に対して回動可能に支持されている。
また、前記支持軸３３には所定の角度を有するトーションばねにより形成されるばね部材４１，４１，４１が介装されており、基板部３１を軸着部側、即ち、所定位置よりも狭くなる方向に傾動させた際にばね部材４１，４１，４１の付勢力が基板部３１に作用して基板部３１を元の位置に復帰させる。特に、各ねじ部材４１は基板部３１とへら部本体３２とが為す所定角度においては付勢力が作用せずに前記所定角度を越えて狭くなった場合に付勢力が生じるような角度のものを選択しておく。
一方、前記基板部３１とへら部本体３２との間には  一方の遊端４２１を前記へら部本体３２に固着されるとともに、もう一方の遊端４２２を基板部３１に形成した嵌挿溝３１５，３１５に貫通させて基端部４２３，４２３を前記基板部３１に対向して配置された端面く字形の挟みばねからなるばね部材４２，４２が配置されている。
この挟みばねからなるばね部材４２は、通常は遊端４２２を基板部３１に形成した嵌挿溝３１５，３１５に貫通させて基板部３１をへら部本体３２に対して所定の角度位置に保持する作用と、基板部３１を所定の角度位置よりも広くなる方向に傾動させた際に付勢力が基板部３１に作用して基板部３１を元の位置に復帰させる作用をする。
加えて、へら部３の基板部３１の表面３１６とへら部本体３２の表面３２１にはファスナ部７１，７２が設けられており、例えばフエルトやパイル（タオル地を含む）地、不織布、マイクロ繊維、樹脂発泡体、紙等、柔軟性を有するとともに、用途によっては塗布剤を一定量含浸することができる材質の布状の塗布部材５が前記ファスナ部７１，７２に係着して手で簡単に着脱可能に取付け可能とされている。
このように構成される本実施の形態は、前記実施の形態とほぼ同様に使用することができ、第７図（ａ）に示すように、基板部３１とへら部本体３２とが挟みばねからなるバネ部材４２より所定角度位置に保持されており、へら部本体３２を被塗布部材６を当接した位置から先端方向（第７図（ａ）に示す上方）に向けて塗布する場合には把持部２を基板部３１とへら部本体３２とのなす角度が狭くなる方向に押しつけて塗布具１を前方または後方へ向けて移動させることで塗布作業を行う。
このとき、へら部本体３２にははさみバネからなるばね部材４２の付勢力は作用せずにトーションばねからなるばね部材４１の付勢力だけが作用して所望の弾性が付与されるため、被塗布部材６が例えば自動車ガラスのように曲面を呈していても、表面の形状に沿いやすく、重ね塗りをすることなく溶液を塗布できる。
そして、第７図（ｂ）に示すように、一操作が終わり把持部２を更に被塗布部材６側に押しつつける方向に移動させて、へら部本体３２に作用しているトーションばねからなるばね部材４１の付勢力を解除しつつ外側端縁を被塗布部材に接触させつつ下方へ移動させて離すことにより、へら部本体３２が内側へ向けて回動しながら最後は外側端縁を被塗布部材６接触させた状態で離すことによりムラを生じることなく塗布具１を離すことができる。
また、へら部本体３２を被塗布部材６に当接した位置から後端方向（第７図（ａ）に示す下方）に向けて塗布する場合には把持部２を基板部３１とへら部本体３２とのなす角度が広くなる方向に回動させて塗布具１を例えば第７図（ｃ）に示すように下方へ向けて移動させることで塗布作業を行う。
このとき、へら部本体３２には挟みばね４２の付勢力だけが作用してトーションばねからなるばね部材４１の付勢力は作用せず挟みばね４２によって所望の弾性がへら部本体３２付与されるため、塗布方向が変わったとしても前記前方へ向けて塗装した場合と同様に好適な弾性を用いて塗装することができるので、従来周知の２方向ばねのように一方の付勢力が他方のばねに逆方向に付加されることがなく、きわめて操作性がよい。
そして、一操作が終わり把持部２４を更に被塗布部材８側に押しつつける方向に移動させて、へら部本体３２に作用している挟みばねからなるばね部材４２の付勢力を解除しつつ外側端縁を被塗布部材に接触させつつ下方へ移動させて離すことにより、へら部本体３２が内側へ向けて回動しながら最後は外側端縁を被塗布部材６に接触させた状態で離すことによりムラを生じることなく塗布具１を離すことができる。
このように、本実施の形態も前記第８図に示した従来の塗装具と異なり、塗装方向を問わずに前後いずれの方向に向けての塗装が可能であるばかりかいずれの方向に向けて塗装した場合にも所定の付勢力によりへら部本体３２が所望の弾性を有して被塗布部材６に当接するので薄くムラなく塗装することができるものである。
【産業上の利用可能性】  本発明にかかるワイパー兼用塗布具は、塗布方向を問わずに弾性を利用した塗装やワイピングを行うことができるため、ガラスや建築材料等に機能性溶液等の液剤を塗布したり、フィルムを貼る際のワイパー兼用の塗布具として利用可能である。
【図１】
2006129380.tif 000002
【図２】
2006129380.tif 000003
【図３】
2006129380.tif 000004
【図４】
2006129380.tif 000005
【図５】
2006129380.tif 000006
【図６】
2006129380.tif 000007
【図７】
2006129380.tif 000008
【図８】
2006129380.tif 000009
【図９】
2006129380.tif 000010
【国際調査報告】
2006129380.tif 000011
2006129380.tif 000012
2006129380.tif 000013
2006129380.tif 000014